(57)【特許請求の範囲】
【請求項１】
左右のレンズ部相互を第１の連結部で連結してなる本体眼鏡と、該左右のレンズ部の前面をその前側で覆い得る左右の補助レンズ部相互を第２の連結部で連結してなる補助眼鏡とを具え、該第２の連結部は、前記第１の連結部の下面に磁気吸着状態で着脱可能に取り付けることができるものであり、
前記第１の連結部の下面の左右方向の少なくとも中央部分に、下端でのみ開放する一つの収容凹部が設けられると共に、該収容凹部に第１の磁石の１個が固定されており、
該第１の磁石の下面は水平を呈しており、該下面の全体を覆うように該下面に貼着された樹脂製の保護テープの前後の張出し部分が折り曲げられて該第１の磁石の前後の側面に貼着されており、該下面に貼着された該保護テープの下面が第１の磁性面を形成しており、このようにして該保護テープが貼着された第１の磁石が、該保護テープの下面が水平を呈した状態で前記収容凹部に収容され、且つ、該第１の磁石の側面と前記収容凹部の内側面との間の間隙に接着剤が充填されることによって該第１の磁石が該収容凹部に固定されており、前記第１の磁性面が前記第１の連結部の下面と面一状態にあり、
又、前記第２の連結部の上面の左右方向の少なくとも中央部分には、上面が水平を呈する第２の磁石の１個が設けられており、該第２の磁石の上面が呈する第２の磁性面が前記第１の磁性面に面状に磁気吸着されることを特徴とする前掛け式眼鏡。
【請求項２】
左右のレンズ部相互を第１の連結部で連結してなる本体眼鏡と、該左右のレンズ部の前面をその前側で覆い得る左右の補助レンズ部相互を第２の連結部で連結してなる補助眼鏡とを具え、該第２の連結部は、前記第１の連結部の下面に磁気吸着状態で着脱可能に取り付けることができるものであり、
前記第１の連結部の下面の左右方向の少なくとも中央部分に、下端でのみ開放する一つの収容凹部が設けられると共に、該収容凹部に第１の磁石の１個が固定されており、該第１の磁石は、平面視で長方形状又は正方形状をなす中央部の左右に、端面が半円弧状突面を呈する端部分が設けられており、該第１の磁石の下面は水平を呈しており、該中央部の下面のみを覆うように貼着された樹脂製の保護テープの前後の張出し部分が折り曲げられて該第１の磁石の前後の側面に貼着されており、該下面に貼着された該保護テープの下面が第１の磁性面を形成しており、このようにして該保護テープが貼着された第１の磁石が、該保護テープの下面が水平を呈した状態で前記収容凹部に収容され、且つ、該第１の磁石の側面と前記収容凹部の内側面との間の間隙に接着剤が充填されることによって該第１の磁石が該収容凹部に固定されており、前記第１の磁性面が前記第１の連結部の下面と面一状態にあり、
又、前記第２の連結部の上面の左右方向の少なくとも中央部分には、上面が水平を呈する第２の磁石の１個が設けられており、該第２の磁石の上面が呈する第２の磁性面が前記第１の磁性面に面状に磁気吸着されることを特徴とする前掛け式眼鏡。
【請求項３】
前記第１の連結部は前方に向けて突に湾曲しており、前記収容凹部は、該第１の連結部の縁部に沿って湾曲しており、該湾曲する収容凹部に、湾曲する第１の磁石が略密接状態に収容されていることを特徴とする請求項１又は２記載の前掛け式眼鏡。
【発明の詳細な説明】
【技術分野】
【０００１】
本発明は、前掛け式眼鏡に関するものである。より詳しくは、本体眼鏡の見栄えを損なうことなく、該本体眼鏡に対して補助眼鏡を、磁気吸着により簡易且つ確実に着脱可能に取り付けることのできる前掛け式眼鏡に関するものである。
【背景技術】
【０００２】
遮光眼鏡や偏光眼鏡等としての補助眼鏡を本体眼鏡に対して磁気吸着状態で着脱可能に取り付けるように構成された前掛け式眼鏡の一例として、実用新案登録第３０５９９８８号公報の図５に示すものが提案されている。該前掛け式眼鏡ａは、図１９に示すように、左右レンズ部ｂ，ｂ相互を第１の連結部ｃで連結してなる本体眼鏡ｄと、該左右のレンズ部ｂ，ｂの前面ｅ，ｅをその前側で覆い得る左右の補助レンズ部ｆ，ｆ相互を第２の連結部ｇで連結してなる補助眼鏡ｈとを具え、該第２の連結部ｇは前記第１の連結部ｃの下面ｊに磁気吸着状態で着脱可能に取り付けられるように構成されていた。磁気吸着状態で着脱可能に取り付ける構成は、図１９に示すように、前記第１の連結部ｃの下面ｊの左右端側に、丸ボタン形状の第１の磁石ｋ，ｋが該下面ｊと略面一に露出した状態で埋設されており、又、前記第２の連結部ｇの上面ｎの左右端側に、丸ボタン形状の第２の磁石ｍ，ｍが該上面ｎと略面一に露出した状態で埋設されていた。そして、前記本体眼鏡ｄの前記第１の連結部ｃの下面ｊに、前記補助眼鏡ｈの前記第２の連結部ｇの上面ｎを重ねるようにして、第１、第２の磁石ｋ，ｍ、ｋ，ｍを磁気吸着させることにより、該補助眼鏡ｈを本体眼鏡ｄに対して着脱可能に取り付けることができるようになされていた。
【０００３】
かかる構成を有する前掛け式眼鏡ａによるときは、本体眼鏡ｄの第１の連結部ｃの下面ｊに第１の磁石ｋ，ｋが配設されており、該第１の磁石ｋ，ｋが、該第１の連結部ｃの上面ｐや側面ｑには露出せず本体眼鏡ｄの可視面に現れることがないため、該第１の磁石ｋ，ｋが目立って本体眼鏡ｄの見栄えを損なうことのない利点を有していた。
【０００４】
しかしながら、本体眼鏡ｄに対する補助眼鏡ｈの取り付け状態が不安定化して補助眼鏡が不用意に脱落し易い問題があった。その理由は、前記のように、本体眼鏡ｄを構成する前記第１の連結部ｃの下面ｊの左右端側で２個の第１の磁石ｋ，ｋを独立的に埋設する一方、補助眼鏡ｈを構成する前記第２の連結部ｇの上面ｎの左右端側で２個の第２の磁石ｍ，ｍを独立的に埋設する構成を採用しており、しかもこれらの磁石は小さなものとならざるを得なかったことから、磁石を埋設するための収容凹部を夫々の磁石に対応させて形成する際の加工誤差が磁石の埋設精度に大きく響き、これら４個の磁石ｋ，ｋ，ｍ，ｍを設計通りに精度良く位置決めして埋設することが困難であったからである。
【０００５】
これら４個の磁石ｋ，ｋ，ｍ，ｍを精度よく位置決めして埋設することができなければ、左右端側に配設されている上下の第１、第２の磁石ｋ，ｍ組の何れか一方では磁石相互の当接によって確実に磁気吸着されても、他方では、磁石相互の磁気吸着状態が不完全な点接触になりやすく、全体として磁気吸着状態が不安定化し易かった。その結果、補助眼鏡ｈが本体眼鏡ｄから不用意に脱落しやすい問題が発生することとなったのである。
【０００６】
更に問題点を指摘すれば、磁石面には通常、防錆のためにニッケルメッキが施されているが、補助眼鏡の着脱を行う際に磁石面相互が衝撃的に当たるため、これが繰り返される内にメッキが剥がれて磁石が錆びる問題があった。このような腐食の問題を避けるために、図２０に示すように、磁石面ｒにエポキシ樹脂ｓを塗布して防錆効果を上げる手段が考えられた。しかしその場合は、樹脂の表面張力によって、塗布面ｔが、例えば図２０に示すように中央部が盛り上がって丸みを帯びるため、上下の第１、第２の磁石ｋ，ｍは点接触の磁気吸着状態となってしまい、磁気吸着状態が不安定化する問題が発生したのであった。
【先行技術文献】
【特許文献】
【０００７】
【特許文献１】実用新案登録第３０５９９８８号公報
【発明の概要】
【発明が解決しようとする課題】
【０００８】
本発明は、前記従来の問題点に鑑みて開発されたものであり、本体眼鏡の見栄えを向上させ得るのは元より、本体眼鏡に対して補助眼鏡を磁気吸着状態で簡易に取り付けることができ、然も安定した磁気吸着状態で補助眼鏡を本体眼鏡に取り付けることのできる前掛け式眼鏡の提供を課題とするものである。
【０００９】
又本発明は、磁石面の防錆を図ることができながら安定した磁気吸着を可能とする前掛け式眼鏡の提供を課題とするものである。
【００１０】
更に本発明は、このような高品質を確保しながら製造能率の向上と製造コストの低減を期し得る前掛け式眼鏡の提供を課題とするものである。
【課題を解決するための手段】
【００１１】
前記課題を解決するため、本発明は以下の手段を採用する。
即ち、本発明に係る前掛け式眼鏡の第１の態様は、左右のレンズ部相互を第１の連結部で連結してなる本体眼鏡と、該左右のレンズ部の前面をその前側で覆い得る左右の補助レンズ部相互を第２の連結部で連結してなる補助眼鏡とを具え、該第２の連結部は、前記第１の連結部の下面に磁気吸着状態で着脱可能に取り付けることができるものであり、前記第１の連結部の下面の左右方向の少なくとも中央部分に、下端でのみ開放する一つの収容凹部が設けられると共に、該収容凹部に第１の磁石の１個が固定されている。そして、該第１の磁石の下面は水平を呈しており、該下面の全体を覆うように該下面に貼着された樹脂製の保護テープの前後の張出し部分が折り曲げられて該第１の磁石の前後の側面に貼着されており、該下面に貼着された該保護テープの下面が第１の磁性面を形成しており、このようにして該保護テープが貼着された第１の磁石が、該保護テープの下面が水平を呈した状態で前記収容凹部に収容され、且つ、該第１の磁石の側面と前記収容凹部の内側面との間の間隙に接着剤が充填されることによって該第１の磁石が該収容凹部に固定されており、前記第１の磁性面が前記第１の連結部の下面と面一状態にある。又、前記第２の連結部の上面の左右方向の少なくとも中央部分には、上面が水平を呈する第２の磁石の１個が設けられており、該第２の磁石の上面が呈する第２の磁性面が前記第１の磁性面に面状に磁気吸着されることを特徴とするものである。
【００１２】
本発明に係る前掛け式眼鏡の第２の態様は、左右のレンズ部相互を第１の連結部で連結してなる本体眼鏡と、該左右のレンズ部の前面をその前側で覆い得る左右の補助レンズ部相互を第２の連結部で連結してなる補助眼鏡とを具え、該第２の連結部は、前記第１の連結部の下面に磁気吸着状態で着脱可能に取り付けることができるものであり、前記第１の連結部の下面の左右方向の少なくとも中央部分に、下端でのみ開放する一つの収容凹部が設けられると共に、該収容凹部に第１の磁石の１個が固定されており、該第１の磁石は、平面視で長方形状又は正方形状をなす中央部の左右に、端面が半円弧状突面を呈する端部分が設けられており、該第１の磁石の下面は水平を呈しており、該中央部の下面のみを覆うように貼着された樹脂製の保護テープの前後の張出し部分が折り曲げられて該第１の磁石の前後の側面に貼着されており、該下面に貼着された該保護テープの下面が第１の磁性面を形成している。そして、このようにして該保護テープが貼着された第１の磁石が、該保護テープの下面が水平を呈した状態で前記収容凹部に収容され、且つ、該第１の磁石の側面と前記収容凹部の内側面との間の間隙に接着剤が充填されることによって該第１の磁石が該収容凹部に固定されており、前記第１の磁性面が前記第１の連結部の下面と面一状態にある。又、前記第２の連結部の上面の左右方向の少なくとも中央部分には、上面が水平を呈する第２の磁石の１個が設けられており、該第２の磁石の上面が呈する第２の磁性面が前記第１の磁性面に面状に磁気吸着されることを特徴とするものである。
【００１３】
前記の各態様において、前記第１の連結部は前方に向けて突に湾曲したものとなされ、前記収容凹部は、該第１の連結部の縁部に沿って湾曲したものとなされ、該湾曲する収容凹部に、湾曲する第１の磁石が略密接状態に収容されることがある。
【発明の効果】
【００１４】
本発明は以下の如き優れた効果を奏する。
(1) 本体眼鏡を構成する第１の連結部の下面に設けた収容凹部に第１の磁石を固定するため、該第１の磁石は該第１の連結部の下面でのみ露出し、その上面やその側面では露出しない。従って本発明によるときは、該第１の磁石が本体眼鏡の見栄えを損なうことのない前掛け式眼鏡を提供できることとなる。
【００１５】
(2) 第１の連結部に設ける磁石が１個であるため、従来のように２個の磁石を取り付ける場合とは異なり、磁石を固定するための収容凹部の形成が１箇所で済む。かかることから、収容凹部を形成するための加工手間を削減できる。加えて、該収容凹部に収容する磁石が１個であるため、該磁石を、その下面が呈する第１の磁性面を水平にして収容凹部に精度よく取り付けるのが容易である。従って本発明によるときは、本体眼鏡の製造能率の向上と製造コストの低減を期し得る。
【００１６】
(3) そして、第１の連結部に設ける第１の磁石と第２の連結部に設ける第２の磁石が夫々１個であることから、該第１の磁石の下面が呈する第１の磁性面と該第２の磁石の上面が呈する第２の磁性面とを精度よく水平に形成し易く、これによって、水平な両磁性面を面接触の磁気吸着状態となし得る。従って本発明によるときは、補助眼鏡を、第１の磁石と第２の磁石の磁力を有効に活用して安定した磁気吸着状態で本体眼鏡に取り付け得ることとなる。
【００１７】
(4) 又、第１の連結部に第１の磁石を設けると共に第２の連結部に第２の磁石を設けるため、第１の磁石と第２の磁石との磁気吸着の位置的状態が一義的に定まる。従って本発明によるときは、両磁石を吸着状態とすれば自ずから、本体眼鏡に対して補助眼鏡を所要に位置決めされた状態で取り付けることができる。
【００１８】
(5) 又、第１の連結部に設ける第１の磁石が１個であるため、収容凹部に設ける磁石の大きさを該収容凹部の左右長さに応じて大きくでき、これによって、磁石の吸着面積を増やすことができる。従って本発明によるときは、補助眼鏡の重さや大きさ等に応じて所要の磁気吸着力を発揮させることができ、安定した磁気吸着状態で補助眼鏡を本体眼鏡に取り付け得ることとなる。
【００１９】
(6) 前記第１の磁石の下面（磁石面）の全体を覆うように保護テープを貼着すると共に、該保護テープの前後の張出し部分を折り曲げて該磁石の前後の側面に貼着し、このようにして該保護テープが貼着された磁石を、該保護テープの下面が水平を呈した状態で前記収容凹部に収容し、且つ、該磁石の側面と該収容凹部の内面との間に形成された隙間にエポキシ樹脂等の接着剤を充填するときは、該磁石の下面に貼着された保護テープの下面が水平な磁性面（第１の磁性面）を形成することとなる。従来のように磁石面にエポキシ樹脂を塗布する場合は、磁性面が丸みを帯びてしまうことから磁石の磁力を有効に活用できなかったのであるが、保護テープを貼着するかかる構成によるときは、磁気吸着力を向上させる水平な磁性面を、容易且つ確実に形成できることになる。そして、このように貼着された保護テープは、その前後の張出し部分が磁石の前後の側面に貼着された状態となされて該側面の貼着部分が接着剤に埋設されるため、該保護テープが磁石から剥がれる恐れがない。これによって、該保護テープの貼着によって形成された磁性面が安定状態で維持されることになる。
【００２０】
又、該保護テープによって磁石を防錆できると共に、前記磁石の下面に保護テープが貼着されているため、該磁石に対する前記磁性部の磁気吸着時の衝撃が緩和される。これによって、補助眼鏡の着脱が繰り返されても前記磁石の下面（磁石面）を保護できる。
【００２１】
更に、前記保護テープの前後の張出し部分が前記磁石の前後の側面に貼着された状態で、該磁石が前記収容凹部に収容されて接着固定されるため、該前後の側面に貼着されている保護テープによる緩衝作用を期待できる。かかることから、前記隙間に充填されているエポキシ樹脂等の接着剤の硬化物に加わる衝撃を緩和でき、磁石の接着固定状態を安定的に維持できることともなる。
【図面の簡単な説明】
【００２２】
【図１】本発明に係る前掛け式眼鏡を構成する本体眼鏡と補助眼鏡を示す斜視図である。
【図２】本体眼鏡に補助眼鏡を取り付けた状態を示す斜視図である。
【図３】本体眼鏡の第１の連結部の収容凹部に対する第 1の磁石の固定構造を説明する斜視図と断面図である。
【図４】補助眼鏡の第２の連結部に対する第２の磁石の固定構造を説明する斜視図と断面図である。
【図５】第１の連結部の第１の磁性面と第２の連結部の第２の磁性面との磁気吸着状態を説明する断面図である。
【図６】本発明に係る前掛け式眼鏡の他の態様を示す部分斜視図である。
【図７】下面が保護テープで被覆された第１の磁石を本体眼鏡の第１の連結部の収容凹部に固定する工程を説明する斜視図である。
【図８】第１の連結部の収容凹部に第１の磁石を固定した状態を示す斜視図と断面図である。
【図９】補助眼鏡の第２の連結部に第２の磁石を固定する工程を固定状態と共に示す斜視図と断面図である。
【図１０】第１の連結部の第１の磁性面と第２の連結部の第２の磁性面との磁気吸着状態を説明する断面図である。
【図１１】補助眼鏡を撥ね上げ式眼鏡として構成してなる前掛け式眼鏡を示す斜視図である。
【図１２】その前掛け式眼鏡における補助眼鏡の撥ね上げ状態を示す断面図である。
【図１３】保護テープで被覆された第２の磁石を第２の連結部に固定した状態を、第１の磁石と第２の磁石との磁気吸着状態で示す断面図である。
【図１４】水平な第１の磁性面と水平な第２の磁性面の他の態様を示す断面図である。
【図１５】保護テープで被覆された第１の磁石の他の態様を示す斜視図と、底面図と、該第１の磁石を収容凹部に固定した状態を示す断面図である。
【図１６】保護テープで被覆された第１の磁石のその他の態様を示す斜視図と、底面図と、該第１の磁石を収容凹部に固定した状態を示す断面図である。
【図１７】収容凹部の形態と第１の磁石の形態の他の態様を示す斜視図と底面図である。
【図１８】第１の磁石を、両面粘着テープを介して収容凹部の底面に貼着した状態を示す断面図である。
【図１９】従来の前掛け式眼鏡の一例を示す斜視図である。
【図２０】磁石面にエポキシ樹脂を塗布した場合の問題点を説明する断面図である。
【発明を実施するための形態】
【実施例１】
【００２３】
図１〜２において本発明に係る前掛け式眼鏡１は、本体眼鏡２に対して補助眼鏡３を、磁気吸着状態で着脱可能に取り付けることができるように構成されている。
【００２４】
該本体眼鏡２は、本実施例においては図１〜３に示すように、リムの下側が欠けた縁無眼鏡として構成されており、左右のレンズ部５，５相互を第１の連結部６で連結してなり、該レンズ部５，５は、レンズ７の上縁部分９に取り付くリム１０の両端部分１１，１１に、該レンズ７の下縁部分１２に取り付けられたコード１３のコード端部分１５，１５を止着した構成を有している。そして図３に示すように、前記第１の連結部６の水平な下面１６の左右方向の少なくとも中央部分１４に（本実施例においては、該中央部分１４とそれに一連に連なる左右両側部分に）、底面（頂面）１７が水平面に形成されると共に、下端１９でのみ開放し、且つ左右方向に延長して、左右端部分が半円弧状凹面２０，２０を呈する比較的大きな矩形状の一つの収容凹部２１が設けられると共に、該収容凹部２１に第１の磁石２２の１個が嵌め入れられて接着により固定されている。
【００２５】
前記第１の磁石２２は例えば図３（Ａ）に示すような、平面視で左右方向に長い長方形状をなす中央部２２ａの左右に、端面が、前記半円弧状凹面２０，２０に略当接し得る半円弧状突面２３，２３を呈する端部分２２ｂ，２２ｂが設けられている。そして、該第１の磁石２２の下面２５及び上面２６は平坦面に形成されている。
【００２６】
該収容凹部２１の各部の寸法及び第１の磁石２２の各部の寸法を例示すれば、該収容凹部２１の短辺長さは２．０ｍｍ、長辺長さは８．８ｍｍ、その深さは１．５ｍｍに設定されると共に、該第１の磁石２２の短辺長さは１．８ｍｍ、長辺長さは８．６ｍｍ、その厚さは１．５ｍｍに設定される。
【００２７】
前記第１の磁石２２は、その下面２５が水平を呈した状態で前記収容凹部２１に収容され、且つ、該第１の磁石２２の側面２７と該収容凹部２１の内側面２９との間の隙間３０に接着剤（例えばエポキシ樹脂）３１が充填されている。
【００２８】
本実施例においては、このようにして該収容凹部２１に収容され且つ接着固定された第１の磁石２２の下面２５それ自体が、水平な第１の磁性面３２であり、該第１の磁性面３２は、前記第１の連結部６の下面１６と面一乃至該下面１６から若干突出している。第１の磁石２２の製造誤差や収容凹部２１の加工誤差によって０．１ｍｍ〜０．２ｍｍ程度突出することはある。即ち、該第１の磁性面３２が該第１の連結部６の下面１６と面一状態にある。かかることから、第１の連結部６の下面１６に設けられている該第１の磁石２２は、図１（Ｂ）に示すように、第１の連結部６の下面１６でのみ露出し、その上面２８やその側面３４には露出しないため、該第１の磁石２２が本体眼鏡２の見栄えを損なうことがない。
【００２９】
前記補助眼鏡３は、遮光機能や偏光機能、視力矯正機能、３Ｄ表示機能等を有するものとして構成できる。本実施例においてはサングラスとして構成されており、前記左右のレンズ部５，５の前面３６，３６をその前側から覆い得る左右の補助レンズ部３７，３７相互を第２の連結部３９で連結して構成されている。該第２の連結部３９は、その左右方向の上面４５の中央部分４０が、前記第１の連結部６の下面１６の中央部分１４に重なるように構成されており、少なくとも該中央部分４０に（本実施例においては、該中央部分４０とそれに一連に連なる左右側部分に）、図４（Ａ）に示すように、左右方向に長く且つ左右端部分が半円弧状凹面４１，４１を呈する矩形状の貫通孔４２が設けられると共に、該貫通孔４２に、例えば前記第１の磁石２２と同様構成の第２の磁石４３の１個が圧入され、該第２の磁石４３の上面３８それ自体が水平な第２の磁性面４６とされている。
【００３０】
然して、前記補助眼鏡３の該第２の連結部３９を、前記本体眼鏡２の第１の連結部６にその下側から図２、図５（Ｂ）に示すように重ねると、互いに異極である前記第１の磁性面３２と前記第２の磁性面４６とが、水平な面接触状態で安定的に磁気吸着状態となり、これにより、補助眼鏡３を本体眼鏡２に磁気吸着状態で着脱可能に取り付けることができる。
【００３１】
そして、前記のように、第１の連結部６に取り付けられる第１の磁石２２が１個であるため、従来のように複数個の磁石を取り付ける場合とは異なり、磁石を固定するための収容凹部２１の形成が１箇所で済み、加工手間を削減できる。又、該第１の磁石２２をその下面２５（第１の磁性面３２）を水平にして収容凹部２１に精度よく取り付けるのが容易である。かかることから製造能率の向上を期し得る。又このように１個の磁石を用いるため、収容凹部２１の左右長さに応じて吸着面積を増やすことが可能となり、前記補助眼鏡３の重量や形態等に応じて、前記第１の磁性面３２と前記第２の磁性面４６との磁気吸着力を増大させて磁気吸着状態の安定性向上を達成できる。
【００３２】
又、第１の連結部６の第１の磁石２２と第２の連結部３９の第２の磁石４３とが強力に磁気吸着し得ると共に、第１の連結部６の下面１６の左右方向の少なくとも中央部分１４に、第１の磁石２２の１個が設けられ且つ第２の連結部３９の上面４５の左右方向の少なくとも中央部分に第２の磁石４３の１個が設けられているため、第１の磁石２２と第２の磁石４３との磁気吸着の位置的状態が一義的に定まり、本体眼鏡２に対して補助眼鏡３を所要に位置決めされた状態で取り付け得ることとなる。もしも、磁石以外の鉄片等からなる磁性部を第２の連結部３９に設けた場合は、第２の連結部３９の磁性部と第１の連結部６の第１の磁石２２とが磁気吸着状態となっても、それは、該磁性部の左右方向の任意位置での磁気吸着状態であることから、補助眼鏡３を、本体眼鏡２に対して所望に位置決めされた状態で取り付け得るとは限らず、取り付け状態の微調整が必要ともなるが、本発明では、前記のように磁石同志が磁気吸着するため、第１の磁石２２と第２の磁石４３との磁気吸着の位置的状態が一義的に定まるのである。
【実施例２】
【００３３】
図６〜９は、本発明に係る前掛け式眼鏡１の他の実施例を示すものであり、本体眼鏡２に対して補助眼鏡３を、磁気吸着状態で着脱可能に取り付けることができるように構成されている。該本体眼鏡２は、実施例１におけると同様に構成されているため、同一構成部分には同一の符号を付して具体的な説明は省略する。
【００３４】
前記第１の連結部６に固定される前記第１の磁石２２は例えば図７に示すような、左右方向に長く且つ左右端部分が垂直平面４４，４４を呈する直方体状に形成されており、その下面２５及び上面２６は平坦面に形成されている。そして図７（Ａ）（Ｂ）に示すように、該下面２５の全体を覆うように樹脂製の保護テープ４７が貼着されると共に、該保護テープ４７の前後の張出し部分４９，４９が折り曲げられて、該第１の磁石２２の前後の側面５０，５１の例えば下側部分５２，５３に貼着されている。なお、該張出し部分４９，４９は、該前後の側面５０，５１の全面に亘って貼着されてもよい。
【００３５】
該収容凹部２１の各部の寸法及び第１の磁石２２の各部の寸法を例示すれば、該収容凹部２１の短辺長さは２．０ｍｍ、長辺長さは８．６ｍｍ、その深さは１．５ｍｍに設定されると共に、該第１の磁石２２の短辺長さは１．８ｍｍ、長辺長さは６．６ｍｍ、その厚さは１．５ｍｍに設定される。又前記保護テープ４７は、例えば、透明ポリエステルテープを用いて構成されており、厚さが例えば３０〜５０μ程度と薄肉で、柔らかく弾力性があり、然も丈夫である。
【００３６】
このようにして保護テープ４７が貼着された第１の磁石２２が、図８（Ａ）（Ｂ）に示すように、該保護テープ４７の下面５５が水平面を呈した状態で前記収容凹部２１に収容され、且つ、該第１の磁石２２の側面５０，５１と該収容凹部２１の内面２９との間に形成された隙間３０に接着剤（例えばエポキシ樹脂）３１が充填されている。本実施例においては、前記保護テープ４７の下面５５が、前記第１の連結部６の下面１６と面一状態にある。
【００３７】
このようにして第１の磁石２２を、第１の連結部６の下面１６に設けた収容凹部２１に固定するため、該収容凹部２１に収容され且つ接着固定された第１の磁石２２の下面２５に貼着された保護テープ４７の下面４５（被覆部４８の下面）は水平な第１の磁性面３２を形成しており、該第１の磁性面３２は、前記第１の連結部６の下面１６と面一乃至、該下面１６から若干突出している。本実施例においては保護テープ４７の厚さ程度（３０〜５０μ程度）突出している。即ち、該第１の磁性面３２が該第１の連結部６の下面１６と面一状態にある。かかることから、第１の連結部６の下面１６に設けられている該第１の磁石２２は、第１の連結部６の下面１６でのみ露出し、その上面２８やその側面３４，３４には露出しないため、該第１の磁石２２が本体眼鏡２の見栄えを損なうことがない。
【００３８】
又前記保護テープ４７は、第１の磁石２２の下面２５のメッキが剥がれたり磁石が錆びたりする等の磁石の損傷を防止できる。
【００３９】
なお、前記保護テープ４７を第１の磁石２２の下面２５にのみ貼着した場合は、該保護テープ４７がその縁部分５７から捲れてくる恐れがある。これに対して本発明においては、該保護テープ４７の前後の張出し部分４９，４９を折り曲げてこれを第１の磁石２２の前後の側面５０，５１の例えば下側部分５２，５３に貼着し、このようにして保護テープ４７が貼着された第１の磁石２２を前記収容凹部２１に嵌め入れることとしている。そして、該第１の磁石２２の側面５０，５１、５４，５４と該収容凹部２１の内側面２９との間の隙間に接着剤（例えばエポキシ樹脂）３１が充填され、該第１の磁石２２が該収容凹部２１に接着固定されるようにしている。その結果、図８（Ｂ）に示すように、該保護テープ４７の前後の貼着部分（張出し部分）４９，４９が接着剤３１に埋設状態となるので、該保護テープ４７が第１の磁石２２の下面２５から剥れる恐れがなく、これによって、該保護テープ４７の貼着によって形成された第１の磁性面３２を安定状態で保持できることになるのである。
【００４０】
前記第１の磁石２２は、小部品である第１の連結部６に固定されるものであることから小さなものであり、その下面２５の表面積は小さい。従って、この小面積の下面２５にのみ保護テープ４７を貼着しただけでは該保護テープが剥がれやすいのであるが、前記のように構成することによって、下面２５に貼着された保護テープ４７の剥がれを防止できるということである。
【００４１】
又、前記補助眼鏡３は、実施例１で説明したところと同様にして、遮光機能や偏光機能、視力矯正機能、３Ｄ表示機能等を有するものとして構成できる。本実施例においてはサングラスとして構成されており、図９に示すように、前記左右のレンズ部５，５の前面３６，３６をその前側から覆い得る左右の補助レンズ部３７，３７相互を第２の連結部３９で連結して構成されている。該第２の連結部３９は、その上面４５の左右方向の中央部分４０が、図６に示すように前記第１の連結部６の下面１６に重なるように構成されており、少なくとも該中央部分４０に（本実施例においては、該中央部分４０とそれに一連に連なる左右側部分に）、左右方向に長い矩形状の貫通孔４２が設けられると共に、該貫通孔４２に、図９（Ｂ）（Ｃ）に示すように、例えば前記第１の磁石２２と同様構成の直方体状を呈する第２の磁石４３の１個が圧入され、該第２の連結部３９の上面４５それ自体が水平な第２の磁性面４６とされている。
【００４２】
然して、前記補助眼鏡３の該第２の連結部３９を、前記本体眼鏡２の第１の連結部６にその下側から図１０（Ｂ）に示すように重ねると、互いに異極である前記第１の磁性面３２と前記第２の磁性面４６とが、水平な面接触状態で安定的に磁気吸着状態となり、これにより、補助眼鏡３を本体眼鏡２に磁気吸着状態で着脱可能に取り付けることができる。そして前記第１の磁石２２は、その下面２５に保護テープ４７が貼着されているため、第１の磁石２２に対する第２の磁石４３の磁気吸着時の衝撃が緩和され、補助眼鏡３の着脱が繰り返されても前記第１の磁石２２の下面（磁石面）２５を保護できる。
【００４３】
そして、前記のように、第１の連結部６に取り付けられる第１の磁石２２が１個であるため、従来のように複数個の磁石を取り付ける場合とは異なり、磁石を固定するための収容凹部２１の形成が１箇所で済み、加工手間を削減できる。又、該第１の磁石２２をその下面２５を水平にして収容凹部２１に精度よく取り付けるのが容易である。かかることから製造能率の向上を期し得る。又このように１個の磁石を用いるため、収容凹部２１の左右長さに応じて吸着面積を増やすことが可能となり、前記補助眼鏡３の重量や形態等に応じて、前記第１の磁性面３２と前記第２の磁性面４６との磁気吸着力を増大させて磁気吸着状態の安定性向上を達成できる。
【００４４】
又、第１の連結部６の第１の磁石２２と第２の連結部３９の第２の磁石４３とが強力に磁気吸着し得ると共に、第１の連結部６の下面１６の左右方向の少なくとも中央部分に第１の磁石２２の１個が設けられ且つ第２の連結部３９の上面４５の左右方向の少なくとも中央部分に第２の磁石４３の１個が設けられているため、実施例１で説明したところと同様に、第１の磁石２２と第２の磁石４３の磁気吸着の位置的状態が一義的に定まり、本体眼鏡２に対して補助眼鏡３を所要に位置決めされた状態で取り付け得ることとなる。
【００４５】
更に、前記保護テープ４７の前後の張出し部分４９，４９が第１の磁石２２の前後の側面５０，５１に貼着された状態で、該第１の磁石２２が前記収容凹部２１に収容されて接着固定されるため、該前後の側面５０，５１に貼着されている保護テープ４７による緩衝作用を期待できる。かかることから、前記隙間３０に充填されているエポキシ樹脂等の接着剤の硬化物５９に加わる衝撃を緩和でき、磁石の接着固定状態を安定的に維持できることともなる。
【実施例３】
【００４６】
本発明は、前記実施例で示したものに限定されるものでは決してなく、「特許請求の範囲」の記載内で種々の設計変更が可能であることはいうまでもない。その一例を挙げれば次のようである。
【００４７】
(1) 図１１〜１２は、本発明に係る前掛け式眼鏡１が撥ね上げ式眼鏡として構成された場合を示すものであり、前記実施例におけると同様に構成された本体眼鏡２の第１の連結部６の下面１６の左右方向の少なくとも中央部分１４に（本実施例においては、該中央部分１４とそれに一連になる連なる左右側部分に）、前記と同様にして、下端が開放し且つ左右方向に延長する収容凹部２１が設けられると共に、該収容凹部２１に前記と同様にして第１の磁石２２が固定されている。そして補助眼鏡３は、図１２に示すように、左右の補助レンズ部３７，３７が前記左右のレンズ部５，５の前面３６，３６をその前側で覆った状態と、該左右の補助レンズ部３７，３７が撥ね上げられた状態との角度範囲で回動可能となされており、該補助眼鏡３は、所要の撥ね上げ状態で保持されるようになされている。
【００４８】
該補助眼鏡３は、より具体的には図１１（Ａ）に示すように、前記左右の補助レンズ部３７，３７相互を連結する前記第２の連結部３９の上側部の左右方向の両側に軸受け突部６０，６０が設けられ、該軸受け突部６０，６０間に嵌入凹部６１が設けられる一方、該嵌入凹部６１に、ホルダー部６２に設けられた嵌入突部６３が嵌め入れられるようになされている。そして該ホルダー部６２の後側部分の上下には、上下の挾持片６５，６６が対向状態で突設されており、該上下の挾持片６５，６６間に、前記本体眼鏡２の前記第１の連結部６を嵌め入れるための収容溝６７が形成されている。そして該下の挾持片６６の上面６９に、第２の磁石４３が例えば接着により固定されることによって、前記第２の連結部３９の上面４５の左右方向の少なくとも中央部分４０に（本実施例においては、該中央部分４０とそれに一連に連なる左右側部分に）、第２の磁石４３の１個が設けられている。
【００４９】
然して、前記収容溝６７に前記第１の連結部６を嵌め入れることにより、図１２に示すように、該第１の連結部６の下面１６の左右方向の中央部分に設けられている第１の磁石２２の下面２５としての水平な第１の磁性面３２と、前記第２の連結部３９に設けられた前記第２の磁石４３の上面３８としての水平な第２の磁性面４６とが磁気吸着状態とされることにより、前記第２の連結部３９が前記第１の連結部６に磁気吸着状態で着脱可能に取り付けられることになる。この状態で、前記補助眼鏡３は、左右の補助レンズ部３７，３７が、前記左右のレンズ部５，５の前面３６，３６をその前側で覆った状態と、該左右の補助レンズ部３７，３７が撥ね上げられた状態との角度範囲で回動可能である。
【００５０】
(2) 本発明に係る前掛け式眼鏡１において、前記第１の磁石２２の下面２５が呈する前記第１の磁性面３２は、該下面２５それ自体であることの他、該下面２５を覆う被覆部４４の水平な下面として構成されることがある。又、前記第２の磁石４３の上面３８が呈する前記第２の磁性面４６は、該上面３８それ自体であることの他、該上面３８を覆う被覆部７４の水平な上面として構成されることもある。
そして前記被覆部４４，７４は、前記のように保護テープ４７を貼着して構成されることの他、被覆片の貼着や吹付け樹脂の焼付塗装等によって構成することができる。
【００５１】
(3) 前記本体眼鏡２を構成する前記レンズ部５，５や、前記補助眼鏡３を構成する前記補助レンズ部３７，３７は、レンズ７の全周をリムで抱持してなるフルリムタイプのものでも、レンズの上側部分や下側部分、内側部分、外側部分にのみリムが取り付けられたハーフリムタイプのものでも、リムを有さないレンズ単体からなるものであってもよい。
【００５２】
(4) 前記第１の連結部６、前記第２の連結部３９は、金属製でも樹脂製でもよい。
【００５３】
(5) 前記第１の連結部６の下面１６の左右方向の少なくとも中央部分１４に設ける前記収容凹部２１は、前記したように、左右方向に延長するものの他、例えば正方形状を呈して該中央部分１４にのみ設けられることもある。そして、正方形状を呈する該収容凹部２１に正方形板状乃至立方体状を呈する第１の磁石２２が略密接に収容され、接着により固定される。
【００５４】
(6) 図１３（Ａ）は、前記第２の連結部３９の上面４５の左右方向の少なくとも中央部分に、前記第１の連結部６におけると同様にして収容凹部６８を設け、該収容凹部６８に第２の磁石４３を接着固定した状態を示している。この場合、例えば図１３に示すように、該第２の磁石４３の上面３８の全体を覆うように該上面３８に貼着された、前記と同様の樹脂製の保護テープ４７の前後の張出し部分７０，７０を折り曲げて該第２の磁石４３の前後の側面７１，７２に貼着し、このようにして保護テープ４７が貼着された第２の磁石４３を、該保護テープ４７の上面７３（被覆部７４の上面）が水平な第２の磁性面４６を呈した状態で前記収容凹部６８に収容し、且つ該第２の磁石４３の側面７５と前記収容凹部６８の内面７６との間に形成された隙間７７にエポキシ樹脂等の接着剤３１を充填し、該第２の磁石４３を該収容凹部６８に接着固定する。図１３（Ｂ）は、第１の磁性面３２と第２の磁性面４６とが磁気吸着した状態を示している。
【００５５】
(7) 本発明において、第１の連結部６に設ける水平な前記第１の磁性面３２と前記第２の磁性面４６は、例えば図１４に示すように若干傾斜した傾斜面（本発明における水平を呈する面に含まれる）として構成されることもある。
【００５６】
(8) 前記第１の磁石２２が、例えば図１５（Ａ）（Ｂ）や図１６（Ａ）（Ｂ）に示すように、平面視で長方形をなす中央部８２ａや平面視で正方形状をなす中央部８２ｂの左右に、端面８３が半円弧状突面を呈する端部分８５，８５が設けられ、該第１の磁石２２の下面２５が水平を呈する如く構成される場合は、該下面２５の全体を覆うように前記保護テープ４７が貼着されることの他、該下面２５の、該中央部８２ａ，８２ｂの下面２５ａ，２５ｂのみを覆うように貼着されることがある。そしてこの場合、前記と同様にして、該保護テープ４７の前記張出し部分４９，４９が折り曲げられて該第１の磁石２２の前後の側面５０，５１に貼着され、該下面２５に貼着された保護テープ４７の下面４５（被覆部４４の下面）が第１の磁性面３２を形成する。図１５（Ｃ）、図１６（Ｃ）は、前記第１の磁石２２を、図３（Ａ）に示すと同様に構成された収容凹部２１に収容して接着により固定した状態を示している。
【００５７】
(9) 本発明において前記収容凹部２１及び該収容凹部２１に収容される第１の磁石２２は、左右方向に直線状に延長するものの他、前記第１の連結部６の外縁に沿って湾曲したり屈曲する如く構成されることもある。例えば図１７に示すように、前記第１の連結部６を前方に向けて突に湾曲したものとなし、前記収容凹部２１は、該第１の連結部６の縁部８９に沿って湾曲したものとなし、該湾曲する収容凹部２１に、湾曲する第１の磁石２２を略密接状態に収容することがある。
【００５８】
(10)前記保護テープ４７は、透明テープでも着色されたテープでもよい。
【００５９】
(11)図１８は、前記第１の磁石２２の上面２６に両面粘着テープ（例えば、０．２〜０．２５ｍｍ程度の厚さのもの）８６を貼着すると共にその上側の粘着面８７を前記収容凹部２１の底面（頂面）１７に貼着した場合（図１５（Ｂ））を示すものである。このようにすれば、収容凹部２１における第１の磁石２２の固定強度を更に向上させることができる。
【符号の説明】
【００６０】
１  前掛け式眼鏡
２  本体眼鏡
３  補助眼鏡
５  レンズ部
６  第１の連結部
２１  収容凹部
２２  第１の磁石
２５  第１の磁石の下面
２５ａ  中央部の下面
２５ｂ  中央部の下面
２７  磁石の側面
２９  収容凹部の内面
３０  隙間
３１  接着剤
３２  第１の磁性面
３７  補助レンズ部
３９  第２の連結部
４３  第２の磁石
４４  被覆部
４６  第２の磁石面
４７  保護テープ
４９  張出し部分
５０  側面
５１  側面
５５  保護テープの下面
７４  被覆部
８２ａ  中央部
８２ｂ  中央部
８３  端面
８５  端部分
８９  縁部
【図１】
0005603189.tif 000002
【図２】
0005603189.tif 000003
【図３】
0005603189.tif 000004
【図４】
0005603189.tif 000005
【図５】
0005603189.tif 000006
【図６】
0005603189.tif 000007
【図７】
0005603189.tif 000008
【図８】
0005603189.tif 000009
【図９】
0005603189.tif 000010
【図１０】
0005603189.tif 000011
【図１１】
0005603189.tif 000012
【図１２】
0005603189.tif 000013
【図１３】
0005603189.tif 000014
【図１４】
0005603189.tif 000015
【図１５】
0005603189.tif 000016
【図１６】
0005603189.tif 000017
【図１７】
0005603189.tif 000018
【図１８】
0005603189.tif 000019
【図１９】
0005603189.tif 000020
【図２０】
0005603189.tif 000021